(57)【要約】【課題】下位装置における周波数偏差の補正を、処理負荷を重くすることなく的確に行い、また下り回線のさらなる伝送容量の増大にも対応しうる無線通信システム及び受信装置を提供する。【解決手段】上位装置１は上り回線の受信信号から周波数偏差を測定して、周波数偏差情報を制御情報として下り回線の伝送信号に多重して送信し、下位装置２は下り回線に多重された周波数偏差情報を検出して、受信した下り回線の信号の周波数偏差を補正する。これにより、周波数偏差の測定精度を高めるための膨大な信号処理を行う必要がなく、下位装置２の処理負荷の軽減が図れる。また、正確に周波数偏差を補正することが可能となるので、６４ＱＡＭのような多値変調においても伝送誤りを抑えることができ、伝送容量増加にも容易に対応が可能となる。また、下位装置２では、周波数偏差を測定する周波数測定部を必要としない分、装置の小型軽量化、省電力化が図れる。【選択図】図１
2007166171.tif 000002
【特許請求の範囲】
【請求項１】
上位装置と下位装置とを備えた無線通信システムにおいて、
前記上位装置は、
上り受信信号をキャリア周波数から基底周波数に変換する第１の上位側周波数変換手段と、
基底周波数に変換された上り受信信号に含まれる周波数偏差を測定する周波数偏差測定手段と、
測定された周波数偏差情報を下り回線の伝送信号に多重する多重手段と、
前記周波数偏差情報が多重された下り送信信号を基底周波数からキャリア周波数に変換する第２の上位側周波数変換手段と、
を備え、
前記下位装置は、
下り受信信号をキャリア周波数から基底周波数に変換する第１の下位側周波数変換手段と、
基底周波数に変換された下り受信信号に多重されている前記周波数偏差情報を検出する検出手段と、
検出された前記周波数偏差情報に基づいて下り受信信号の周波数偏差を除去する補正手段と、
上り送信信号を基底周波数からキャリア周波数に変換する第２の下位側周波数変換手段と、
を備えた無線通信システム。
【請求項２】
無線信号を送受信する送受信装置において、
受信信号をキャリア周波数から基底周波数に変換する第１の周波数変換手段と、
基底周波数に変換された前記受信信号に含まれる周波数偏差を測定する周波数偏差測定手段と、
測定された周波数偏差情報として送信信号に多重する多重手段と、
前記周波数偏差情報が多重された送信信号を基底周波数からキャリア周波数に変換する第２の周波数変換手段と、
を備えた送受信装置。
【請求項３】
無線信号を受信する受信装置において、
受信信号をキャリア周波数から基底周波数に変換する周波数変換手段と、
基底周波数に変換された前記受信信号に多重されている周波数偏差情報を検出する検出手段と、
検出された前記周波数偏差情報に基づいて前記受信信号の周波数偏差を除去する周波数補正手段と、
を備えた受信装置。
【請求項４】
前記受信信号に含まれる周波数偏差を測定する周波数偏差測定手段と、
前記周波数偏差測定手段にて測定された周波数偏差が所定の閾値よりも大きい場合には前記周波数偏差測定手段にて測定された周波数偏差を選択して前記周波数補正手段に入力し、前記周波数偏差測定手段にて測定された周波数偏差が前記閾値以下の場合には前記検出手段にて検出された周波数偏差情報を選択して前記周波数補正手段に入力する選択手段と、
を備えた請求項３に記載の受信装置。
【発明の詳細な説明】
【技術分野】
【０００１】
本発明は、特に下り回線において大きな伝送容量を必要とする無線通信システム及び受信装置に関する。
【背景技術】
【０００２】
近年、ブロードバンドを無線化する動きが活発化している。ブロードバンドでは、基地局や基幹側となる上位装置からユーザ端末や加入者局となる下位装置へと伝送する下り回線には膨大なデータ伝送容量が必要となる。これに対し、ＢＷＡ（Broadband Wireless Access）システムのようなミリ波帯や準ミリ波帯を利用した広帯域無線アクセス伝送システムの利用促進や普及を目指して研究開発や野外実験が進められている。ＢＷＡシステムでは下り回線の大容量化を図るために、マルチキャリア化や変調の多値化といった伝送技術が多用されている。
【０００３】
図４は、従来の無線通信システムの概略構成を示すブロック図である。この図に示す無線通信システムは、上位装置１０１と下位装置１０２とから構成される。上位装置１０１は、基準周波数の信号を発生する発振器１１１と、受信した上り信号を上りキャリア周波数から基底周波数に変換する上り受信周波数変換部１１２と、受信信号に含まれる周波数偏差（送信周波数と受信周波数との差）を除去する周波数偏差補正部１１３と、受信信号の復調を行う復調部１１４と、受信信号から周波数偏差を測定する周波数偏差測定部１１５と、送信信号の変調を行う変調部１１７と、変調信号を基底周波数から下りキャリア周波数に変換する下り送信周波数変換部１１８とから構成される。
【０００４】
下位装置１０２は、基準周波数の信号を発生する発振器１２１と、受信した下り信号を下りキャリア周波数から基底周波数に変換する下り受信周波数変換部１２２と、受信信号に含まれる周波数偏差を除去する周波数偏差補正部１２３と、受信信号の復調を行う復調部１２４と、受信信号から周波数偏差を測定する周波数偏差測定部１２５と、送信信号の変調を行う変調部１２７と、変調信号を基底周波数から上りキャリア周波数に変換する上り送信周波数変換部１２８とから構成され、基本的には上位装置１０１と同じ構成を採る。なお、無線通信システムによっては、上位装置１０１は上り受信信号の周波数偏差の補正を行わず、下位装置１０２側において周波数偏差分を予め補償して送信する場合もある。
【０００５】
ミリ波帯のような比較的高い周波数帯を利用する場合、装置間におけるキャリア周波数の偏差が大きくなるため、周波数偏差を除去する必要がある。上位装置１０１においては周波数補正部１１３及び周波数偏差測定部１１５が周波数偏差の補正を行い、下位装置１０２においては周波数補正部１２３及び周波数偏差測定部１２５が周波数偏差の補正を行う。ここで、周波数偏差の補正に係る処理方法の一例を説明する。周波数偏差測定部１１５及び１２５では、伝送信号内に埋め込まれたプリアンブル等の既知信号から周波数偏差を算出する。すなわち、所定の時間差がある同一パターンの信号同士で相関演算を行う。周波数偏差が無ければ相関値は実部（Ｒｅ:real part）にしか現れないが、周波数偏差が有る場合は虚部（Ｉｍ:imaginary part）が発生し、角度Θ＝arctan（Ｉｍ／Ｒｅ）から単位時間での位相回転量が求まり、それから周波数偏差を得ることができる。
【０００６】
周波数変換部１１２もしくは周波数変換部１２２にてキャリア周波数から基底周波数に変換された受信信号には装置間のキャリア周波数ずれが含まれており、同相成分（Ｉ）と直交成分（Ｑ）のＩＱ座標平面上でベクトルの回転として表すことができる。回転速度は周波数偏差の大きさに対応し、回転方向は周波数のずれ方向に対応する。補正はこの回転をキャンセルしベクトルを静止させるのが目的で、受信したＩＱ成分とは逆方向に回転する回転子を掛け合わせることによって実現できる。具体的には実部（Ｒｅ）成分と虚部（Ｉｍ）成分をｃｏｓ信号とｓｉｎ信号で表現し周波数偏差に応じた回転速度のｃｏｓ信号とｓｉｎ信号を、受信したＩＱ信号に複素乗算することにより周波数偏差がキャンセルされたＩＱ信号を得ることができる。
【０００７】
このように周波数偏差補正を的確に行うには周波数偏差の測定精度が重要であることがわかる。しかしながら、現実問題としてミリ波帯のような高い周波数帯を用いた伝送では、電波伝搬損失が大きいことから、より大きな送信電力を必要し、それによって非線形歪が発生しやすくなり、また、マルチキャリア化によりキャリア間干渉も生じる。この結果、伝送信号が劣化することによって周波数偏差の測定精度は悪化し、周波数偏差の補正が的確に行われないことになる。
【０００８】
この問題に対し、マルチキャリアの場合に、キャリアごとに周波数偏差を測定してその中から信頼度の高い測定結果を選択し、それを全てのキャリアの周波数偏差補正に用いることでより的確に周波数偏差の補正を行う方法が提案されている（例えば、特許文献１参照）。測定結果の信頼度判定にはキャリアごとのパラメータ情報を用いることになり、受信信号に含まれる所定信号パターンと既知信号パターンの複素相関値をパラメータ情報として取得し、該複素相関値が最大となるキャリアの周波数偏差情報を選択している。
【０００９】
【特許文献１】特開２００３−７８５０１号公報
【発明の開示】
【発明が解決しようとする課題】
【００１０】
しかしながら、マルチキャリア化や広帯域化により伝送信号の歪が増加するため、複数の周波数偏差測定結果の候補の中から信頼度の高い１つを選択する場合には、測定値に誤差が含まれることと、複数の候補の中から１つを選び出すために用いるパラメータ情報自体の信頼度にも曖昧さが加味されるため、必ずしも最も測定精度の良いものが選ばれるとは限らない。また、最良のものが選ばれたとしても、測定精度が補正に十分な精度を有しているとは限らない。この結果、例えば１６ＱＡＭ（Quadrature Amplitude Modulation）までなら補正が可能であっても、よりシンボル間距離が近くなる６４ＱＡＭでは補正しきれないなどといった適用できるレベルに限界がある。このような状況でさらなる測定精度向上、もしくは補正確度の向上を図るには受信側におけるより一層の演算処理が必要となるのは容易に推測できる。
【００１１】
一方、伝送容量が増えるほど受信側は送信側に比べ処理負荷が重くなるが、下位装置は一般的にユーザ端末や加入者局であるため、装置の小型軽量化や省電力化の観点からはできるだけ処理負荷を軽くするのが好ましい。
【００１２】
本発明は、係る事情に鑑みてなされたものであり、下位装置における周波数偏差の補正を、処理負荷を重くすることなく的確に行い、また下り回線のさらなる伝送容量の増大にも対応しうる無線通信システム及び受信装置を提供することを目的とする。
【課題を解決するための手段】
【００１３】
上記目的は下記構成により達成される。
（１）  上位装置と下位装置とを備えた無線通信システムにおいて、前記上位装置は、上り受信信号をキャリア周波数から基底周波数に変換する第１の上位側周波数変換手段と、基底周波数に変換された上り受信信号に含まれる周波数偏差を測定する周波数偏差測定手段と、測定された周波数偏差情報を下り回線の伝送信号に多重する多重手段と、前記周波数偏差情報が多重された下り送信信号を基底周波数からキャリア周波数に変換する第２の上位側周波数変換手段とを備え、前記下位装置は、下り受信信号をキャリア周波数から基底周波数に変換する第１の下位側周波数変換手段と、基底周波数に変換された下り受信信号に多重されている前記周波数偏差情報を検出する検出手段と、検出された前記周波数偏差情報に基づいて下り受信信号の周波数偏差を除去する補正手段と、上り送信信号を基底周波数からキャリア周波数に変換する第２の下位側周波数変換手段とを備える。
【００１４】
（２）  無線信号を送受信する送受信装置において、受信信号をキャリア周波数から基底周波数に変換する第１の周波数変換手段と、基底周波数に変換された前記受信信号に含まれる周波数偏差を測定する周波数偏差測定手段と、測定された周波数偏差情報として送信信号に多重する多重手段と、前記周波数偏差情報が多重された送信信号を基底周波数からキャリア周波数に変換する第２の周波数変換手段とを備える。
【００１５】
（３）  無線信号を受信する受信装置において、受信信号をキャリア周波数から基底周波数に変換する周波数変換手段と、基底周波数に変換された前記受信信号に多重されている周波数偏差情報を検出する検出手段と、検出された前記周波数偏差情報に基づいて前記受信信号の周波数偏差を除去する周波数補正手段とを備える。
【００１６】
（４）  上記（３）に記載の受信装置において、前記受信信号に含まれる周波数偏差を測定する周波数偏差測定手段と、前記周波数偏差測定手段にて測定された周波数偏差が所定の閾値よりも大きい場合には前記周波数偏差測定手段にて測定された周波数偏差を選択して前記周波数補正手段に入力し、前記周波数偏差測定手段にて測定された周波数偏差が前記閾値以下の場合には前記検出手段にて検出された周波数偏差情報を選択して前記周波数補正手段に入力する選択手段とを備える。
【発明の効果】
【００１７】
上記（１）に記載の無線通信システムでは、上位装置が上り受信信号で測定した精度の高い周波数偏差情報を下位装置が用いて下り受信信号の周波数偏差を補正するので、周波数偏差の測定精度を高めるための膨大な信号処理を行う必要がなく、下位装置の処理負荷の軽減が図れる。また、正確に周波数偏差を補正することが可能となるので、６４ＱＡＭのような多値変調においても伝送誤りを抑えることができ、また伝送容量増加にも容易に対応が可能となる。また、下位装置では、周波数偏差を測定する手段を必要としない分、装置の小型軽量化、省電力化が図れる。なお、上位装置における上り受信信号は、下位装置から送信された上り送信信号を受信した信号であり、下位装置における下り受信信号は、上位装置から送信された下り送信信号を受信した信号である。
【００１８】
上記（２）に記載の送受信装置では、受信信号に含まれる周波数偏差を測定して、周波数偏差情報として送信信号に多重して送信するので、この送信信号を受信する受信装置では、受信信号に含まれる周波数偏差を測定する手段が不要となり、該受信装置の小型軽量化、省電力化が可能となる。
【００１９】
上記（３）に記載の受信装置では、受信信号に多重されている周波数偏差情報を利用して受信信号の周波数偏差を除去するので、受信信号に含まれる周波数偏差を測定する手段が不要となり、本装置の小型軽量化、省電力化が可能となる。
【００２０】
上記（４）に記載の受信装置では、受信信号に多重されている周波数偏差情報を正しく検出できないようなレベルの受信状態あるいは伝送容量が少なく周波数偏差の測定にそれほどの精度を必要としない伝送条件のような場合には、受信装置自体で測定した周波数偏差情報を用いて周波数偏差の補正を行い、受信状態が良く多くの伝送容量を必要とする伝送条件の場合には、受信装置自体で測定した周波数偏差情報に替えて、受信信号に多重されている周波数偏差情報を用いて周波数偏差の補正を行うので、常に正確な周波数偏差の補正が可能となる。
【発明を実施するための最良の形態】
【００２１】
以下、本発明を実施するための好適な実施の形態について、図面を参照して詳細に説明する。
【００２２】
（実施の形態１）
図１は、本発明の実施の形態１に係る無線通信システムの概略構成を示すブロック図である。また、図２は本実施の形態の無線通信システムが利用する周波数配置図である。図１において、本実施の形態に係る無線通信システムは、上位装置１と下位装置２とを備えて構成される。上位装置１は、発振器１１と、受信した上り回線信号（上り受信信号）をキャリア周波数から基底周波数に変換する周波数変換部１２と、上り受信信号の復調を行う復調部１４と、上り受信信号から周波数偏差を測定する周波数偏差測定部１５と、上り受信信号の周波数偏差を除去する周波数偏差補正部１３と、周波数偏差測定部１５で測定された周波数偏差を下り回線の伝送信号に制御情報として多重する多重部１６と、多重部１６からの下り回線の伝送信号を変調波に変換する変調部１７と、変調部１７からの変調波を基底周波数からキャリア周波数に変換する周波数変換部１８とを備える。上位装置１は、上記多重部１６を備えている点が図４の従来の上位装置１０１と異なっている。
【００２３】
なお、上記周波数変換部１２は第１の上位側周波数変換手段に、周波数偏差測定部１５は周波数偏差測定手段に、多重部１６は多重手段に、周波数変換部１８は第２の上位側周波数変換手段にそれぞれ対応する。
【００２４】
下位装置２は、発振器２１と、受信した下り回線信号をキャリア周波数から基底周波数に変換する周波数変換部２２と、受信した下り回線信号に重畳されている周波数偏差を除去する周波数偏差補正部２３と、受信した下り回線信号の復調を行う復調部２４と、復調部２４の出力から制御情報として多重されている周波数偏差情報を検出する検出部２９と、上り回線の伝送信号を変調波に変換する変調部２７と、変調部２７からの変調波を基底周波数からキャリア周波数に変換する周波数変換部２８とを備える。下位装置２は、図４の従来の下位装置１０２の周波数偏差測定部１２５は備えておらず、代わって上記検出部２９を備えている。
【００２５】
なお、上記周波数変換部２２は第１の下位側周波数変換手段に、検出部２９は検出手段に、周波数補正部２３は補正手段に、周波数変換部２８は第２の下位側周波数変換手段にそれぞれ対応する。
【００２６】
上り回線は、図２にあるようにキャリア周波数ｆＵで伝搬され、下り回線より使用する周波数帯域幅は狭くシングルキャリアである。下り回線はキャリア周波数ｆＤで伝搬され、使用する周波数帯域幅は上り回線より広くより多くのデータ伝送が可能であって、帯域内は複数のサブキャリアを束ねたマルチキャリア信号となっている。 
【００２７】
下位装置２が送信する上り回線のキャリア周波数ｆＵは、下位装置２の発振器２１が発する周波数を基に周波数変換部２８により周波数変換が行われる結果、実際にはｆＵからは若干ずれたｆＵｔとなる。一方、上位装置１の周波数変換部１２も上位装置１の発振器１１が発する周波数を基にｆＵｒで周波数変換を行うため、周波数偏差測定部１５は測定結果として周波数偏差ΔｆＵ＝（ｆＵｒ−ｆＵｔ）を得る。
【００２８】
上位装置１の周波数偏差補正部１３は、周波数偏差ΔｆＵとは逆方向となる−ΔｆＵを生成し、それを用いて補正を行うことで、上り回線の周波数偏差がキャンセルされ、復調部１４にて復調処理される。多重部１６は、周波数偏差測定部１５で測定された周波数偏差ΔｆＵを制御信号として下り回線の伝送信号に多重する。ここで、上り回線のキャリア周波数ｆＵと下り回線のキャリア周波数ｆＤが異なる場合にはΔｆＵ／ｆＵのような比率とすればよい。上位装置１では、変調部１７にて基底周波数の変調波に変換した後、下り送信周波数変換部１８にてキャリア周波数に変換されて下位装置２へと送られる。ここでやはり自己の発振器１１が発するキャリア周波数にて周波数変換されるため、実際にはｆＤからは若干ずれたｆＤｔにて送信される。
【００２９】
下位装置２では、発振器２１が発する周波数に基づき、周波数変換部２２によってキャリア周波数から基底周波数に変換される。下位装置２ではキャリア周波数ｆＤｒにて周波数変換することになるため、基底信号にはΔｆＤ＝（ｆＤｒ−ｆＤｔ）の周波数偏差が含まれる。検出部２９は、基底信号を復調部２４で復調した信号から上位装置１より通知された周波数偏差情報ΔｆＵ／ｆＵを検出し、ΔｆＵ／ｆＵ×ｆＤを周波数偏差として周波数偏差補正部２３にて補正を行う。上位装置１での測定精度が高ければΔｆＵ／ｆＵ×ｆＤ＝ΔｆＤとなるため正確に周波数偏差がキャンセルされる。ここで、検出部２９は周波数偏差の補正が施される前の復調信号から情報を検出することになるが、周波数偏差情報である制御情報は位相回転に強いＢＰＳＫ（Binary Phase Shift Keying）やＤ（Delay）−ＱＰＳＫなどのような変調方式を用いて伝送すれば、十分誤らずに検出可能である。
【００３０】
このように、本実施の形態の無線通信システムによれば、上位装置１が上り受信信号で測定した精度の高い周波数偏差情報を下位装置２が用いて下り受信信号の周波数偏差を補正するので、周波数偏差の測定精度を高めるための膨大な信号処理を行う必要がなく、下位装置２の処理負荷の軽減が図れる。また、正確に周波数偏差を補正することが可能となるので、６４ＱＡＭのような多値変調においても伝送誤りを抑えることができ、また伝送容量増加にも容易に対応が可能となる。また、下位装置２では、周波数偏差を測定する周波数測定部を必要としない分、装置の小型軽量化、省電力化が図れる。さらに、このような利点から、高速伝送システムの構築を容易に行うことが可能となり、社会インフラの整備に役立ち、さらにはユーザ端末（例えば携帯電話）の低価格などで市場への普及促進にも寄与することができる。
【００３１】
（実施の形態２）
図３は、本発明の実施の形態２に係る受信装置の概略構成を示すブロック図である。この図において、本実施の形態に係る受信装置は下位装置３であり、装置の基準周波数を発する発振器２１と、受信した下り回線信号をキャリア周波数から基底周波数に変換する周波数変換部２２と、基底周波数に変換された受信信号の周波数偏差を補正する周波数偏差補正部２３と、基底周波数の変調波を復調する復調部２４と、復調した受信信号に制御情報として多重されている周波数偏差情報を検出する検出部２９と、受信した下り回線信号から周波数偏差を測定する周波数偏差測定部２５と、周波数偏差測定部２５で測定された周波数偏差情報と上位装置１から通知された周波数偏差情報のいずれかを選択する選択部（選択手段）３０と、上り回線の伝送信号を変調する変調部２７と、上り送信周波数変換部２８とを備えて構成される。本実施の形態では、周波数偏差測定部２５と選択部３０を備えている点で上述した実施の形態１と異なっている。周波数偏差測定部２５と選択部３０を備えることで、装置の小型軽量化、省電力化で実施の形態１より不利であるが、後述するように常に正確な周波数偏差の補正が可能となる点で有利である。
【００３２】
選択部３０は、第１段階では下位装置３の周波数偏差測定部２５で測定された周波数偏差情報を選択し、第２段階では上位装置１より通知された周波数偏差情報を選択する。周波数偏差があまりにも大きい場合、周波数偏差補正されていない復調信号から周波数偏差情報を正しく検出できない可能性も考えられるため、下位装置３が自ら周波数偏差測定を行い、例えば制御情報を正しく検出できているのか、あるいは自ら測定した周波数偏差がある一定以上あるのかないのかといった閾値Ｔｈを設けることによって、選択部３０は第１段階と第２段階の切り替えを行う。すなわち、選択部３０は、周波数偏差測定部２５にて測定された周波数偏差が所定の閾値Ｔｈよりも大きい場合には、周波数偏差測定部２５にて測定された周波数偏差を選択して周波数補正部２３に入力し、周波数偏差測定部２５にて測定された周波数偏差が閾値Ｔｈ以下の場合には、検出部２９で検出された周波数偏差情報を選択して周波数補正部２３に入力する。
【００３３】
第１段階は、回線品質があまり良くなく多値の変調方式では伝送できない状態であり、周波数偏差の測定精度はさほど高くする必要がないため、下位装置３が下り回線で測定した周波数偏差情報を用いて補正を行っても十分に誤りのない伝送が可能である。第２段階は回線品質が良い状態であり、上位装置１が測定した測定精度の高い周波数偏差情報を用いて補正を行うことにより、多値の変調方式を使えるため伝送容量を増やすことが可能である。
【００３４】
このように、本実施の形態の受信装置（下位装置３）によれば、受信信号に多重されている周波数偏差情報を正しく検出できないようなレベルの受信状態あるいは伝送容量が少なく周波数偏差の測定にそれほどの精度を必要としない伝送条件のような場合には、下位装置３の周波数偏差測定部２５で測定した周波数偏差情報を用いて周波数偏差の補正を行い、受信状態が良く多くの伝送容量を必要とする伝送条件の場合には、下位装置３の周波数偏差測定部２５で測定した周波数偏差情報に替えて、受信信号に多重されている周波数偏差情報すなわち上位装置１で測定された周波数偏差情報を用いて周波数偏差の補正を行うので、常に正確な周波数偏差の補正が可能となる。
【００３５】
なお、上記各実施の形態において、下り回線については、マルチキャリアもしくは周波数帯域幅の広い伝送方法とし、上り回線については、シングルキャリアか下り回線よりキャリア本数の少ないマルチキャリアもしくは下り回線より周波数帯域幅の狭い伝送方法としても良い。伝送方法を上下非対称することで、上り回線の伝送信号を受信する上位装置１において、より精度の高い周波数偏差の測定が可能になる。
【産業上の利用可能性】
【００３６】
本発明は、下位装置における周波数偏差の補正を、処理負荷を重くすることなく的確に行い、また下り回線のさらなる伝送容量の増大にも対応しうるといった効果を有し、携帯電話などの移動体通信をはじめとする上位装置と下位装置とを備えた無線通信システムなどへの適用が可能である。
【図面の簡単な説明】
【００３７】
【図１】本発明の実施の形態１に係る無線通信システムの概略構成を示すブロック図
【図２】本発明の実施の形態１に係る無線通信システムにおける周波数配置を示す図
【図３】本発明の実施の形態２に係る受信装置の概略構成を示すブロック図
【図４】従来の無線通信システムの概略構成を示すブロック図
【符号の説明】
【００３８】
１  上位装置
２、３  下位装置
１１、２１  発振器
１２、１８、２２、２８  周波数変換部
１３、２３  周波数偏差補正部
１４、２４  復調部
１５、２５  周波数偏差測定部
１６  多重部
１７、２７  変調部
２９  検出部
３０  選択部
【図１】
2007166171.tif 000003
【図２】
2007166171.tif 000004
【図３】
2007166171.tif 000005
【図４】
2007166171.tif 000006